(57)【要約】【課題】ＬＥＤを用いたライン型照明モジュールを安全且つ容易に着脱自在としたソケット対及びそのソケット対を備えたライン型の照明器具を提供する。【解決手段】複数の発光ダイオード９ａを配列したライン型照明モジュール６を、その両端部に設けられたアース側エンドキャップ７及び電源側エンドキャップ８を介して電気的接続状態で保持するアースソケット３及び電源ソケット４からなるソケット対５であって、各ソケット３，４は、アース側嵌合凹部３３及び電源側嵌合凹部４３を備え、アース側エンドキャップ７に形成されたアース側接続端子部７０を電気的接続状態で嵌受するアース側嵌合凹部３３、及び、電源側エンドキャップ８に形成された電源側接続端子部８０を電気的接続状態で嵌受する電源側嵌合凹部４３の形状は、それぞれアース側接続端子部７０及び前記電源側接続端子部８０に整合し且つ互いに異なる形状とされていることを特徴とする。【選択図】図２
2012230864.tif 000002
【特許請求の範囲】
【請求項１】
複数の発光ダイオードを配列したライン型照明モジュールを、その両端部に設けられたアース側エンドキャップ及び電源側エンドキャップを介して電気的接続状態で保持するアースソケット及び電源ソケットからなるソケット対であって、
前記アースソケットは、前記電源ソケットに対向する側に開口部が形成された箱形アースソケット本体と、前記開口部に露出するアース側作用面を備えて前記アースソケット本体内に収納されたアース側保持部材と、前記アース側作用面に凹設され、前記アース側エンドキャップに形成されたアース側接続端子部を嵌受するアース側嵌合凹部とを有し、
前記電源ソケットは、前記アースソケットに対向する側に開口部が形成された箱形電源ソケット本体と、前記開口部に露出する電源側作用面を備えて前記電源ソケット本体内に収納された電源側保持部材と、前記電源側作用面に凹設され、前記電源側エンドキャップに形成された電源側接続端子部を嵌受する電源側嵌合凹部とを有し、
前記アース側嵌合凹部及び前記電源側嵌合凹部の形状は、それぞれ前記アース側接続端子部及び前記電源側接続端子部に整合し且つ互いに異なる形状とされていることを特徴とするソケット対。
【請求項２】
請求項１において、
前記アースソケット本体内には、前記アース側保持部材を該アースソケット本体の開口部側に常時付勢する付勢手段が設けられ、前記アース側保持部材は、前記アース側エンドキャップのアース側接続端子部で、前記付勢手段による付勢力に抗して前記アース側作用面を押圧することによって、前記アースソケット本体の奥側に変位可能とされていることを特徴とするソケット対。
【請求項３】
請求項２において、
前記電源ソケット本体内には、前記電源側保持部材を該電源ソケット本体の開口部側に常時付勢する付勢手段が設けられ、前記電源側保持部材は、前記電源側エンドキャップの電源側接続端子部で、前記付勢手段による付勢力に抗して前記電源側作用面を押圧することによって、前記電源ソケット本体の奥側に変位可能とされていることを特徴とするソケット対。
【請求項４】
請求項３において、
前記アース側保持部材の変位可能範囲は、前記電源側保持部材の変位可能範囲より大とし、
前記電源ソケット本体内には、前記電源側保持部材の変位を規制するための規制部が設けられていることを特徴とするソケット対。
【請求項５】
請求項３または請求項４において、
前記アースソケット本体内及び電源ソケット本体内に設けられる付勢手段は、いずれも導電性ばね部材からなり、これらばね部材の一部が、前記アース側嵌合凹部及び電源側嵌合凹部の底部に臨み、当該各底部において、前記アース側接続端子部及び電源側接続端子部と電気的に接続されるアース用接点及び電源用接点を構成することを特徴とするソケット対。
【請求項６】
請求項１〜請求項５のいずれか１項において、
前記アースソケット本体及び前記電源ソケット本体における開口縁部の前記各作用面に連なる部分には面取部が形成され、
前記各作用面は、前記面取部に連なる凸曲面及び前記各嵌合凹部にまで至る傾斜面を有し、
前記面取部、凸曲面及び傾斜面が、前記各エンドキャップのそれぞれの接続端子部を前記各嵌合凹部に案内する案内面を構成していることを特徴とするソケット対。
【請求項７】
請求項１〜請求項６のいずれか１項において、
前記アース側嵌合凹部のいずれかの側部には、一対のアース側突部が形成されるとともに、一対の突部の間には、前記アース側接続端子部を保持する保持部が形成されており、
前記電源側嵌合凹部のいずれかの側部には、ひとつの電源側突部が形成されるとともに、前記側部と対向する側面には前記電源側接続端子部を保持する電源側保持部が形成されていることを特徴とするソケット対。
【請求項８】
請求項１〜請求項７のいずれか１項に記載のソケット対と、
複数の発光ダイオードを配列し、前記ソケット対間に着脱自在に装着されるライン型照明モジュールと、
前記ソケット対が取り付けられ該ソケット対と電気的に接続される取付基台とを備えたことを特徴とするライン型照明器具。
【発明の詳細な説明】
【技術分野】
【０００１】
本発明は、複数の発光ダイオードを配列したライン型照明モジュールを電気的接続状態で保持するためのソケット対及びそのソケット対を備えた照明器具に関する。
【背景技術】
【０００２】
従来より、直管型蛍光灯などの照明モジュールを電気的接続状態で保持するためのソケット対として下記特許文献１に開示されているようなランプソケットが知られている。
下記特許文献１に記載のソケットの作動体には、下部周面及び前面にわたって連続して開放され互いに平行な一対のランプ取付け溝が形成されており、ここに記載されているソケットは、蛍光ランプの両端部から突き出たランプピンをランプ取付け溝に挿入すれば蛍光ランプを電気的に接続した状態で支持できるように構成されている。従って、蛍光ランプのランプピンが水平方向に並ぶ姿勢でそのまま上方向に押し上げれば、一対のソケット間に照明モジュールを取り付けることができる。
【先行技術文献】
【特許文献】
【０００３】
【特許文献１】特開平１１−１３５２１１号公報
【発明の概要】
【発明が解決しようとする課題】
【０００４】
ところで近年、消費電力が少なく長寿命な光源として発光ダイオード（以下、ＬＥＤという）が用いられた照明器具が普及してきており、従来の直管型蛍光灯とよく似たライン型のものも見られる。
しかしながら、ＬＥＤが用いられたライン型の照明モジュールを直流電源で点灯させるためには、電極の極性の差し間違いが生じないよう配慮して、これを防ぐ構造を必要とする場合がある。また低電圧で照明モジュールを点灯させる場合は問題にならないが、１００Ｖ近い比較的高い電圧で照明モジュールを点灯させる場合は、感電保護の観点から、アースが設けられることが望ましい。
【０００５】
上記特許文献１に示されるランプソケット対の場合は、電気的な接続部分は、両者同じであるため、接続間違いを生じる懸念がない。またＬＥＤが用いられた照明モジュールの場合、熱を逃すヒートシンクを必要とし、そのため、従来の蛍光灯と比べて重量物になり易い。よって、上記特許文献１のような蛍光ランプのように電極とランプ支持部とを兼ねる構造をＬＥＤが用いられたライン型の照明モジュール用のソケット対にそのまま適用することができない。
【０００６】
本発明は、上記実情に鑑みなされたものであり、ＬＥＤを用いたライン型照明モジュールを安全且つ容易に着脱自在としたソケット対及びそのソケット対を備えたライン型の照明器具を提供することを目的とする。
【課題を解決するための手段】
【０００７】
本発明に係るソケット対は、複数の発光ダイオードを配列したライン型照明モジュールを、その両端部に設けられたアース側エンドキャップ及び電源側エンドキャップを介して電気的接続状態で保持するアースソケット及び電源ソケットからなるソケット対であって、前記アースソケットは、前記電源ソケットに対向する側に開口部が形成された箱形アースソケット本体と、前記開口部に露出するアース側作用面を備えて前記アースソケット本体内に収納されたアース側保持部材と、前記アース側作用面に凹設され、前記アース側エンドキャップに形成されたアース側接続端子部を嵌受するアース側嵌合凹部とを有し、前記電源ソケットは、前記アースソケットに対向する側に開口部が形成された箱形電源ソケット本体と、前記開口部に露出する電源側作用面を備えて前記電源ソケット本体内に収納された電源側保持部材と、前記電源側作用面に凹設され、前記電源側エンドキャップに形成された電源側接続端子部を嵌受する電源側嵌合凹部とを有し、前記アース側嵌合凹部及び前記電源側嵌合凹部の形状は、それぞれ前記アース側接続端子部及び前記電源側接続端子部に整合し且つ互いに異なる形状とされていることを特徴とする。
【０００８】
本発明によれば、ソケット対に、ライン型照明モジュールを、その両端部に設けられたアース側エンドキャップ及び電源側エンドキャップを介して電気的接続状態で保持させることができる。これによって、該照明モジュールに電圧が供給され、照明モジュールの各発光ダイオードが発光し得る状態とされる。このソケット対に対する照明モジュールの電気的接続状態の保持は、アースソケット本体内に収納されたアース側保持部材及び電源ソケット本体内に収納された電源側保持部材によってなされる。即ち、各ソケット本体の開口部に露出する各保持部材の作用面に凹設されたアース側嵌合凹部及び電源側嵌合凹部に、アース側接続端子部及び電源側接続端子部を嵌受させることによってなされる。したがって、例えば熱を逃すヒートシンクを備えることで蛍光灯と比べて重量がある照明モジュールであっても、しっかりと照明モジュールを保持することができる。この時、アース側嵌合凹部及び電源側嵌合凹部の形状は、それぞれアース側接続端子部及び電源側接続端子部に整合し且つ互いに異なる形状とされているから、両者が逆に接続されることがなく、接続間違いを防ぐことができる。
【０００９】
本発明おいて、前記アースソケット本体内に、前記アース側保持部材を該アースソケット本体の開口部側に常時付勢する付勢手段が設けられ、前記アース側保持部材は、前記アース側エンドキャップのアース側接続端子部で、前記付勢手段による付勢力に抗して前記アース側作用面を押圧することによって、前記アースソケット本体の奥側に変位可能とされているものとしてもよい。
この場合、アース側エンドキャップのアース側接続端子で、付勢手段による付勢力に抗してアース側作用面を押圧することにより、アース側保持部材がアースソケット本体の奥側に変位するから、両保持部材間の空間（間隔）が拡がり、アース側接続端子及び電源側接続端子部をアース側嵌合凹部及び電源側嵌合凹部の位置に位置付けると、付勢手段の復元力により、アース側接続端子及び電源側接続端子部をそれぞれアース側嵌合凹部及び電源側嵌合凹部に嵌受させることができる。これによって、ソケット対に対する照明モジュールの電気的接続状態の保持がなされ、電源が入った状態であっても、照明モジュールをアース側（接地側）から先に挿入して安全に取り付けることができる。
また取り外しの際には、照明モジュールをアースソケット側に押圧すれば、アース側保持部材がアースソケット本体の奥側に変位し、これによって、両保持部材間の空間が拡がり、照明モジュールを容易に取り外すことができる。
【００１０】
本発明において、前記電源ソケット本体内に、前記電源側保持部材を該電源ソケット本体の開口部側に常時付勢する付勢手段が設けられ、前記電源側保持部材は、前記電源側エンドキャップの電源側接続端子部で、前記付勢手段による付勢力に抗して前記電源側作用面を押圧することによって、前記電源ソケット本体の奥側に変位可能とされているものとしてもよい。
この場合、アースソケット本体内に設けられた付勢手段による前記機能と相乗し、照明モジュールのソケット対に対する着脱が、よりスムース且つ的確に行うことができる。
【００１１】
また、本発明において、前記アース側保持部材の変位可能範囲は、前記電源側保持部材の変位可能範囲より大とし、前記電源ソケット本体内には、前記電源側保持部材の変位を規制するための規制部が設けられているものとしてもよい。
この場合も、電源側保持部材の変位可能範囲がアース側保持部材の変位可能範囲より小さいから、照明モジュールをソケット対間に保持させる場合、電源側の保持をアース側の保持より先に行うことができず、従って、電源側の電気的接続がアース側の電気的接続より先になされることがなく、取付保持の際に不意に照明モジュールに電気が導通するような懸念も生じることがない。また、この可動範囲の大小によって、アース側か電源側かの判別を容易にすることができる。
【００１２】
また、本発明において、前記アースソケット本体内及び電源ソケット本体内に設けられる付勢手段は、いずれも導電性ばね部材からなり、これらばね部材の一部が、前記アース側嵌合凹部及び電源側嵌合凹部の底部に臨み、当該各底部において、前記アース側接続端子部及び電源側接続端子部と電気的に接続されるアース用接点及び電源用接点を構成するようにしてもよい。
この場合は、バネ部材の弾性反力を利用して、アース側保持部材及び電源側保持部材をアース側接続端子部及び電源側接続端子部に押圧することができ、良好な接続状態を維持できる。また、これらばね部材の一部が、アース側嵌合凹部及び電源側嵌合凹部の底部において、アース側接続端子部及び電源側接続端子部と電気的に接続されるアース用接点及び電源用接点を構成するから、ばね部材の弾力によって電気的接続状態を安定に維持することができる。
【００１３】
また本発明において、前記アースソケット本体及び前記電源ソケット本体における開口縁部の前記各作用面に連なる部分には面取部が形成され、前記各作用面は、前記面取部に連なる凸曲面及び前記各嵌合凹部にまで至る傾斜面を有し、前記面取部、凸曲面及び傾斜面が、前記各エンドキャップのそれぞれの接続端子部を前記各嵌合凹部に案内する案内面を構成するようにしてもよい。
これによれば、前記アースソケット本体及び前記電源ソケット本体における開口縁部に面取部を備えているので、照明モジュールを着脱する際に開口縁部に当っても、照明モジュールが破損しにくいものとすることができる。またこの面取部と、各作用面の凸曲面及び傾斜面とによって、前記各接続端子部を前記各嵌合凹部に案内する案内面を構成しているので、照明モジュールをソケット対間に装着する際に、各エンドキャップの各接続端子部を案内面で滑らせるように押し込むようにすれば、各接続端子部を各嵌合凹部にスムースに嵌受させることができる。
さらに本発明において、前記アース側嵌合凹部のいずれかの側部には、一対のアース側突部が形成されるとともに、一対の突部の間には、前記アース側接続端子部を保持する保持部が形成されており、前記電源側嵌合凹部のいずれかの側部には、ひとつの電源側突部が形成されるとともに、前記側部と対向する側部には前記電源側接続端子部を保持する電源側保持部が形成されているようにしてもよい。
これによれば、アース側嵌合凹部及び電源側嵌合凹部の形状が一目見て異なるため、照明モジュールを逆に接続するといった差し間違いが生じることを防ぐことができる。また、アース側から先に挿入して照明モジュールを取り付ける際に、アース側接続端子部を保持部でしっかりと保持した状態で取り付けることができるので、取り付けやすい。さらに取付後においても、アース側保持部及び電源側保持部の双方で照明モジュールを両側からしっかりと保持することができる。したがって、上述したように、熱を逃すヒートシンクを備えることで蛍光灯と比べて重量がある照明モジュールであっても、しっかりと照明モジュールを保持することができる。
【００１４】
そして、本発明に係る照明器具は、前記のいずれかのソケット対と、複数の発光ダイオードを配列し、前記ソケット対間に着脱自在に装着されるライン型照明モジュールと、前記ソケット対が取り付けられ該ソケット対と電気的に接続される取付基台とを備えたことを特徴とする。
これによれば、照明モジュールの着脱が安全で容易な照明器具とすることができる。
【発明の効果】
【００１５】
本発明によれば、ライン型照明モジュールを安全且つ容易に着脱自在としたソケット対及びそのソケット対を備えた発光ダイオードによるライン型照明器具を簡易に構成することができる。
【図面の簡単な説明】
【００１６】
【図１】本発明の一実施形態に係るソケット対を備えたライン型照明器具の一例を示す模式的分解斜視図である。
【図２】前記ソケット対間に照明モジュールを装着させる要領を説明するための模式的側面図であり、（ａ）は照明モジュールを装着させる過程を示した図、（ｂ）は照明モジュールを装着した後の図である。
【図３】前記ソケット対のうち、アースソケットを説明するための模式図であり、（ａ）は同アースソケットの正面図、（ｂ）は同アースソケットの側面図である。
【図４】前記ソケット対のうち、電源ソケットを説明するための模式図であり、（ａ）は同電源ソケットの正面図、（ｂ）は同電源ソケットの側面図である。
【図５】（ａ）〜（ｃ）は、図３（ａ）におけるＸ−Ｘ線矢視断面図であり、前記照明モジュールを装着させる際のアースソケットの動きを説明する図である。
【図６】（ａ）、（ｂ）は、図４（ａ）におけるＹ−Ｙ線矢視断面図であり、前記照明モジュールを装着させる際の電源ソケットの動きを説明する図である。
【図７】前記照明モジュールを構成するアース側エンドキャップ及びその周辺部を示す模式的斜視図である。
【図８】前記照明モジュールを構成する電源側エンドキャップ及びその周辺部を示す模式的斜視図である。
【発明を実施するための形態】
【００１７】
以下に本発明の実施の形態について、図面に基づいて説明する。
図１及び図２に示すように、本実施形態に係るおけるライン型照明器具１は、天井面（Ｗ）や壁面等に設置される細長直方体形状の箱形取付基台２と、該取付基台２の両端部に対向関係で取付けられるアースソケット３及び電源ソケット４からなるソケット対５と、該ソケット対５（３、４）間に着脱自在に電気的接続状態で装着されるライン型照明モジュール６とを含んで構成される。ライン型照明モジュール６は、両端にアース側エンドキャップ７及び電源側エンドキャップ８を有するＬＥＤ実装基板９と、該ＬＥＤ実装基板９の前面（図例では下面）に後記する各ＬＥＤ９ａ…からの光路の規制を行うべく取付けられる光学規制板１０と、ＬＥＤ実装基板９の前面側（図例では下面側）を覆う透明乃至は半透明の樹脂製グローブ１１とよりなる。
【００１８】
ＬＥＤ実装基板９は、金属材等からなり、長手方向側面に沿ってＬＥＤ９ａが発する熱を放熱するために凹状の溝が形成され、放熱フィン９０，９０が複数設けられている（図１、図２（ａ）及び（ｂ）参照）。なお、この放熱フィンは、図１等に示す以外に、取付基台２と接する面にも形成されているようにしてもよい（不図示）。これによれば、放熱性をより向上させることができる。ＬＥＤ実装基板９には、光源としての複数のＬＥＤ９ａ…が、その長手方向に沿って略等間隔で前面に露出するよう実装され、その厚み内には、ＬＥＤ９ａ…に対する給電回路基板（不図示）が組み込まれている。光学規制板１０には、各ＬＥＤ９ａ…に対応する位置に複数の透孔１０ａ…が設けられ、各ＬＥＤ９ａ…からの光束を規制して、全体としてムラのない発光照射ができるように構成されている。
【００１９】
取付基台２には、不図示の商用電源に接続される直流電源装置２０が内装され、該直流電源装置２０のプラス／マイナス一対の２次側出力端子２１には、電源ソケット４に設けられた後記するばね部材４４，４５の一部を構成する電源用接点４４ｃ、４５ｃに、一対のリード線２２を介して電気的に接続されている。また、取付基台２内にはアース線２３が敷設され、その一端部がアースソケット３に設けられた後記するばね部材３４の一部を構成するアース用接点３４ｃ，３４ｄに電気的に接続され、他端が取付基台２の金属製枠体に止着されてアース接続されている。アース側エンドキャップ７及び電源側エンドキャップ８の各外面（反対向側面）には、それぞれアース側接続端子部７０及び電源側接続端子部８０が突設されている。このアース側接続端子部７０及び電源側接続端子部８０は、後記するアース側保持部材３２及び電源側保持部材４２に形成されたアース側嵌合凹部３３及び電源側嵌合凹部４３にそれぞれ嵌受され、ライン型照明モジュール６がソケット対３，４に電気的接続状態で保持される。
【００２０】
次に、ソケット対５を構成するアースソケット３及び電源ソケット４の構造について、図３〜図６を参照して詳細に説明する。なお、図３〜図６では、アースソケット３及び電源ソケット４を天井面Ｗに設置された取付基台２に取り付けた状態とは天地逆に示しているが、以下の説明での上下左右方向は、取付状態（図１、図２）に基づいて説明する。
図３及び図５に示すように、アースソケット３は、電源ソケット４側に開口する開口部３０ａが形成された箱形アースソケット本体３０と、開口部３０ａに露出するアース側作用面３１を備えてアースソケット本体３０内に変位可能に収納されたアース側保持部材３２と、アース側作用面３１に凹設されアース側接続端子部７０を嵌受するアース側嵌合凹部３３と、アースソケット本体３０内においてアース側保持部材３２を電源ソケット４側に常時弾力付勢する導電性ばね部材（付勢手段）３４とを含んで構成されている。アースソケット本体３０の下部（図１では上部）は、箱形取付基台２に対する取付基部３０ｂとされている。アースソケット３は、箱形取付基台２の蓋体２ａによって、該取付基部３０ｂで、箱形取付基台２内に没入された状態で支持されている。
【００２１】
アースソケット３のアース側嵌合凹部３３の形状は特に限定されず、例えばアース側嵌合凹部３３のいずれかの側部に、一対のアース側突部３３ｅ，３３ｅが形成されるとともに、一対の突部３３ｅ，３３ｅの間には、アース側接続端子部７０を保持する保持面３３ｄが形成されていればよい。図に示すアース側突部３３ｅ，３３ｅは、アース側嵌合凹部３３の下側側部（図３では上側）に、一対のアース側突部３３ｅ，３３ｅが形成され、その形状は、アース側嵌合凹部３３の下側側面から下方（取付基部３０ｂとは反対側）に向かって凹状に突出して形成されている。そして保持部３３ｄは、この一対の突部３３ｅ，３３ｅの間を直線的につないで形成された略方形状の面とされ（図５（ａ）〜（ｃ）参照）、この保持部３３ｄでも照明モジュール６の重量を支えている。
アース側嵌合凹部３３をこのような形状とすれば、一対の突部３３ｅ，３３ｅの存在が、照明モジュール６を取り付ける際の挿入向きの目印になる。また一対の突部３３ｅ，３３ｅの間には、保持部３３ｄが設けられているので、安定して照明モジュール６を保持することができる。
【００２２】
取付基部３０ｂ内には、中空のアース線ホルダ３５が組付けられ、該アース線ホルダ３５には、一対のアース線挿入孔３５ａ，３５ｂが貫設されている。このアース線挿入孔３５ａ，３５ｂは、箱形取付基台２の内部に位置し、且つ該箱形取付基台２の内部側に開口し、箱形取付基台２の内部とアース線ホルダ３５の空所３５ｃとが連通するように形成されている。アース線挿入孔３５ａ，３５ｂの一方には、箱形取付基台２内に敷設された絶縁被覆付のアース線２３が挿入されている。該アース線２３は、絶縁被覆が剥離された先端部が、アース線ホルダ３５の空所３５ｃ内に至るよう挿入されている。なお、図例では２個のアース線挿入孔３５ａ，３５ｂを設けた例を示しているが、どちらか一方のみでもよい。
【００２３】
ばね部材３４は、アース線ホルダ３５の空所３５ｃから、アース線ホルダ３５の隔壁（図５では上壁）３５ｄとアースソケット本体３０の壁部との隙間３５ｅを経てアース側嵌合凹部３３の底部３３ａの外面（アースソケット本体３０の奥側に向く面）に至るよう、側面視略Ｓ字（逆Ｓ字）形に屈曲された状態で弾装されている。該ばね部材３４は、その一方端部３４ａがアース線ホルダ３５の底壁内面３５ｆに斜めに弾接し、他方端部３４ｂがアース側嵌合凹部３３の底部３３ａの外面に面接触状態で弾接している。アース線２３の先端部は、ばね部材３４の一方端部３４ａとアース線ホルダ３５の底壁内面３５ｆとの間に弾性的に挟圧された状態とされている。これによって、アース線２３とばね部材３４との電気的導通状態が維持されている。
【００２４】
ばね部材３４の一方端部３４ａは、アース線２３の挿入方向に傾斜するよう底壁内面３５ｆに斜めに弾接している。アース線２３の先端部は、この弾力に抗して当該一方端部３４ａを押し上げるように挿入され、挿入後は、一方端部３４ａの先端角部がアース線２３に食い込むように弾接してアース線２３の抜けが阻止される。また、アース側嵌合凹部３３の底部３３ａには、一対の透孔３３ｂ，３３ｃが形成され、ばね部材３４の他方端部３４ｂは、この透孔３３ｂ，３３ｃを塞ぐように底部３３ａの外面に弾接している。該他方端部３４ｂの透孔３３ｂ，３３ｃにおいて露出する部分がアース用接点３４ｃ，３４ｄとされる。
【００２５】
図４及び図６に示すように、電源ソケット４は、アースソケット３側に開口する開口部４０ａが形成された箱形電源ソケット本体４０と、開口部４０ａに露出する電源側作用面４１を備えて電源ソケット本体４０内に変位可能に収納された電源側保持部材４２と、電源側作用面４１に凹設され、電源側接続端子部８０を嵌受する電源側嵌合凹部４３と、電源ソケット本体４０内において電源側保持部材４２をアースソケット３側に常時弾力付勢する一対の導電性ばね部材（付勢手段）４４，４５とを含んで構成されている。電源ソケット本体４０の下部（図１では上部）は、箱形取付基台２に対する取付基部４０ｂとされている。電源ソケット３は、箱形取付基台２の蓋体２ａによって、該取付基部４０ｂで、アースソケット４と同様に箱形取付基台２内に没入された状態で支持されている。
【００２６】
電源ソケット４の電源側嵌合凹部４３の形状は特に限定されず、例えば電源側嵌合凹部４３のいずれかの側部には、ひとつの電源側突部４３ｅが形成されるとともに、前記側部と対向する側部には電源側接続端子部８０を保持する電源側保持部４３ｄが形成されているようにしてもよい。図に示す電源側突部４３ｅは、電源側嵌合凹部４３の上側側部（図４では下側）の中央部位に、ひとつ形成されており、その形状は、電源側嵌合凹部４３の上側側部から上方（取付基部４０ｂ側）に向かって凹状に突出して形成されている。そしてこの電源側突部４３ｅが形成されている電源側嵌合凹部４３の上側側部と対向する下側側部（図４では上側）には、電源側接続端子部８０を保持する電源側保持部４３ｄが形成され、略方形状の面とされており（図６（ａ）、（ｂ）参照）、この保持部４３ｄでも照明モジュール６の重量を支えている。
電源側嵌合凹部４３をこのような形状とすれば、電源側突部４３ｅの存在により照明モジュール６を取り付ける際の挿入向きの目印を備えたものでありながら、保持部４３ｄによって安定して照明モジュール６を保持することもできる。
【００２７】
取付基部４０ｂ内には、中空の電源用リード線ホルダ４６が組付けられ、該電源用リード線ホルダ４６には、一対のリード線挿入孔４６ａ，４６ｂが貫設されている。このリード線挿入孔４６ａ，４６ｂは、箱形取付基台２の内部に位置し、且つ該箱形取付基台２の内部側に開口し、箱形取付基台２の内部とリード線ホルダ４６の空所４６ｃとが連通するように形成されている。リード線挿入孔４６ａ，４６ｂには、箱形取付基台２内に敷設されたプラス／マイナス一対の絶縁被覆付の電源用リ−ド線２２が挿入されている。該リード線２２は、絶縁被覆が剥離された先端部が、リード線ホルダ４６の空所４６ｃ内に至るよう挿入されている。
【００２８】
電源側のばね部材４４，４５は、リード線ホルダ４６の空所４６ｃから、リード線ホルダ４６の隔壁（図６では上壁）４６ｄと電源ソケット本体４０の壁部との隙間４６ｅを経て電源側嵌合凹部４３の底部４３ａの外面（電源ソケット本体４０の奥側に向く面）に至るよう、側面視略Ｓ字（逆Ｓ字）形に屈曲された状態で弾装されている。該ばね部材４４，４５は、互いに電気的絶縁状態とされており、各一方端部４４ａ，４５ａがリード線ホルダ４６の底壁内面４６ｆに斜めに弾接し、他方端部４４ｂ，４５ｂが電源側嵌合凹部４３の底部４３ａの外面に面接触状態で弾接している。一対のリード線２２の各先端部は、ばね部材４４，４５の一方端部４４ａ，４５ａとリード線ホルダ４６の底壁内面４６ｆとの間に弾性的に挟圧された状態とされている。これによって、一対のリード線２２と各ばね部材４４，４５との電気的導通状態が維持されている。
【００２９】
ばね部材４４，４５の一方端部４４ａ，４５ａは、リード線２２の挿入方向に傾斜するよう底壁内面４６ｆに斜めに弾接している。各リード線２２の先端部は、この弾力に抗して当該一方端部４４ａ，４５ａを押し上げるように挿入され、挿入後は、一方端部４４ａ，４５ａの先端角部が各リード線２２に食い込むように弾接してリード線２２の抜けが阻止される。また、電源側嵌合凹部４３の底部４３ａには、一対の透孔４３ｂ，４３ｃが形成され、ばね部材４４，４５の各他方端部４４ｂ，４５ｂは、この透孔４３ｂ，４３ｃを塞ぐように底部４３ａの外面に弾接している。該他方端部４４ｂ，４５ｂの透孔４３ｂ，４３ｃにおいて露出する部分が電源用接点４４ｃ，４５ｃとされる。
【００３０】
アースソケット本体３０及び電源ソケット本体４０における開口部３０ａ，４０ａの縁部のうち、各作用面３１，４１に連なる部分の外面には面取部３０ｃ，４０ｃが形成されている。また、各作用面３１，４１は、面取部３０ｃ，４０ｃに連なる凸曲面３１ａ，４１ａ及び各嵌合凹部３３，４３にまで至る傾斜面３１ｂ，４１ｂを有している。面取部３０ｃ，４０ｃ、凸曲面３１ａ，４１ａ及び傾斜面３１ｂ，４１ｂが、後記するように、照明モジュール６をソケット対３，４に装着する際に、各エンドキャップ７，８のそれぞれの接続端子部７０，８０を各嵌合凹部３３，４３に案内する案内面を構成している。
【００３１】
アース側保持部材３２及び電源側保持部材４２は、アースソケット本体３０及び電源ソケット本体４０内に、その奥側に向かって変位可能な状態で収納されている。即ち、図５及び図６に示すように、アース側保持部材３２及び電源側保持部材４２は、各作用面３１，４１を、各ばね部材３４、４４（４５）の弾力に抗し白抜矢印方向Ａ，Ｂに沿って押圧することによって、アースソケット本体３０及び電源ソケット本体４０の奥側に向かって変位する。この場合、アース側保持部材３２は、アースソケット本体３０のほぼ奥行き範囲に亘って変位可能とされているが、電源ソケット本体４０は電源ソケット本体４０内に設けられた規制部４７によって、若干変位する程度に規制されている。各開口部３０ａ，４０ａの縁部は、開口部の内側に向く鉤形状に形成され、アース側保持部材３２及び電源側保持部材４２の外周部分には、この縁部に内側から係止する係止部３２ａ，４２ａが形成されている。係止部３２ａ，４２ａが、各開口部３０ａ，４０ａの縁部の内側に係止することによって、アース側保持部材３２及び電源側保持部材４２の開口部３０ａ，４０ａからの抜出しが防止される。
【００３２】
図７及び図８は、照明モジュール６を構成するアース側エンドキャップ７、電源側エンドキャップ８及びその周辺部を示す模式的斜視図である。
図７に示すように、アース側エンドキャップ７の外面（電源側エンドキャップ８に対する反対向側面）には、アース側接続端子部７０が形成されている。アース側接続端子部７０は、アース側エンドキャップ７の外面に隆起形成された電気絶縁性のボス部７１と、該ボス部７１に、その外面より突出するよう一体的に保持された一対のアース端子７２，７３とより構成されている。アース端子７２，７３は導電部材からなり、ＬＥＤ実装基板９に組み込まれた不図示の給電回路基板又はＬＥＤ実装基板９に電気的に接続されている。ボス部７１の外形状は、アース側嵌合凹部３３に整合状態で嵌挿し得る形状とされ、且つアース端子７２，７３は、それぞれが透孔３３ｂ，３３ｃに嵌り込み得る位置関係及び形状に形成されている。
【００３３】
具体的には上述のアース側嵌合凹部３３の下側側面から下方（取付基部３０ｂとは反対側）に向かって凹状に突出して形成された一対の突部３３ｅ，３３ｅと整合するように、ボス部７１には、一対の嵌合突部７１ｂ，７１ｂが形成されるとともに、保持部３３ｄと整合するように嵌合部７１ａが形成されている。したがって、照明モジュール６の取付状態においては、これら、一対の嵌合突部７１ｂ，７１ｂや嵌合部７１ａが、アース側嵌合凹部３３に嵌り込んで引っ掛かった状態となり、照明モジュール６の自重を支える。
なお、アース側エンドキャップ７の形状、構成も図例に限定されるものではない。
【００３４】
また、図８に示すように、電源側エンドキャップ８の外面（アース側エンドキャップ７に対する反対向側面）には、電源側接続端子部８０が形成されている。電源側接続端子部８０は、電源側エンドキャップ８の外面に隆起形成された電気絶縁性のボス部８１と、該ボス部８１に、その外面より突出するよう一体的に保持されたプラス／マイナス一対の受電端子８２，８３とより構成されている。受電端子８２，８３は導電部材からなり、ＬＥＤ実装基板９に組み込まれた不図示の給電回路基板におけるプラス／マイナス一対の入力側端子に電気的に接続されている。ボス部８１の外形状は、電源側嵌合凹部４３に整合状態で嵌挿し得る形状とされ、且つ受電端子８２，８３は、それぞれが透孔４３ｂ，４３ｃに嵌り込み得る位置関係及び形状に形成されている。
具体的には上述の電源側嵌合凹部４３の上側側面から上方（取付基部４０ｂ側）に向かって凹状に突出して形成された電源側突部４３ｅと整合するように、ボス部８１には、嵌合突部８１ｂが形成されるとともに、保持部４３ｄと整合するように嵌合部８１ａが形成されている。したがって、照明モジュール６の取付状態においては、これら嵌合突部８１ｂや嵌合部８１ａが、電源側嵌合凹部４３に嵌り込んで引っ掛かった状態となり、照明モジュール６の自重を支える。
なお、電源側エンドキャップ８の形状、構成も図例に限定されるものではない。
【００３５】
次に、上述のように構成されたライン型照明器具１において、照明モジュール６を、ソケット対５に装着保持させる要領について、図２、図５及び図６を参照して説明する。図２に示すように天井面Ｗの所定部位には、取付基台２が設置されており、該取付基台２に内装された直流電源装置２０には、不図示の商用電源が接続されている。取付基台２の長手方向両端部には、ソケット対５を構成するアースソケット３及び電源ソケット４が照明モジュール６の仕様に応じた所定の間隔を隔てて取付けられている。アースソケット３及び電源ソケット４には、取付基台２内において、アース線２３及び一対の電源用リード線２２が、前記の各接続構造部を介して電気的に接続されている。
【００３６】
そして、図２に示すように、照明モジュール６をそのアース側エンドキャップ７側が上向きとなるよう斜めにし、アース側接続端子部７０を、その先端部をアースソケット３の面取部３０ｃ、作用面３１の凸曲面３１ａ及び傾斜面３１ｂに沿わせるようにして、アース嵌合凹部３３に向け摺動させる。この間、図５（ｂ）の白抜矢印Ａに示すように、アース側接続端子部７０の先端部によって、作用面３１をばね部材３４の弾力に抗して押圧するようにして摺動を行う。これによって、ばね部材３４が弾性変形し、アース側保持部材３２は、アースソケット本体３０の奥側に向け倒れるようにして変位する。アース側接続端子部７０のボス部７１がアース嵌合凹部３３に至り、アース側嵌合凹部３３に嵌り込むと、アース側接続端子部７０のアース端子７２，７３も、それぞれが透孔３３ｂ、３３ｃに嵌り込み、ばね部材３４の一部位であるアース用接点３４ｃ，３４ｄに当接する。この当接は、ばね部材３４の復元弾力による弾接状態とされ、これによってアース端子７２，７３とアース用接点３４ｃ，３４ｄとの電気的導通状態が達成される。アース側接続端子部７０がアース側嵌合凹部３３に嵌り込んだ状態で、更に照明モジュール６を図５（ｃ）の白抜矢印Ａ方向に押込むようにすれば、アース側保持部材３２は、図５（ｃ）に示すように、ばね部材３４の屈曲弾性変形を伴いアースソケット本体３０の奥側に起立するようにして変位する。これによって、アース側保持部材３２と、対向する電源ソケット４の電源側保持部材４２との間隔が拡がる。
【００３７】
図５（ｂ）の状態から図５（ｃ）に至る過程で、図２（ａ）の矢印ａに示すように電源側エンドキャップ８側を押し上げ、照明モジュール６を水平状態に近づける。そして、電源側エンドキャップ８側を更に押し上げ、電源側接続端子部８０を、その先端部を電源ソケット４の面取部４０ｃ、作用面４１の凸曲面４１ａ及び傾斜面４１ｂに沿わせるようにして、電源嵌合凹部４３へ向け摺動させる。この摺動の際、電源側保持部材４２に対して、図６（ｂ）の白抜矢印Ｂ方向の押圧力が作用し、電源側保持部材４２は、ばね部材４４，４５の弾性変形を伴い電源ソケット本体４０の奥側に向け変位する。そして、電源側接続端子部８０のボス部８１が電源側嵌合凹部４３に至り、電源側嵌合凹部４３に嵌り込むと、電源側接続端子部８０の受電端子８２，８３も、それぞれが透孔４３ｂ、４３ｃに嵌まり込み、ばね部材４４，４５の一部位である電源用接点４４ｃ，４５ｃに当接する。この当接は、ばね部材４４，４５の復元弾力によって弾接状態とされ、これによって受電端子８２，８３と電源用接点４４ｃ，４５ｃとの電気的導通状態が達成される。電源ソケット本体４０内には、規制部４７が設けられているから、電源ソケット本体４０は、規制部４７によって規制され、図６（ｂ）に示す以上に変位することがない。
【００３８】
アース側及び電源側接続端子部７０，８０が、それぞれアース側及び電源側嵌合凹部３３，４３に嵌受された状態で、照明モジュール６を手離すと、図２（ｂ）に示すように、照明モジュール６はソケット対５間に保持された状態とされる。即ち、アース側のばね部材３４及び電源側のばね部材４４，４５の互いに対向する方向への復元弾力により、アース側保持部材３２及び電源側保持部材４２が常時互いに対向方向に付勢され、これによって保持状態が維持される。
また、アース側ばね部材３４及び電源側ばね部材４４，４５の復元弾力により、アース端子７２，７３とアース用接点３４ｃ，３４ｄとの電気的導通状態、及び受電端子８２，８３と電源用接点４４ｃ，４５ｃとの電気的導通状態が維持される。照明モジュール６を取り外す際には、照明モジュール６をアースソケット３側に押圧すれば、アース側保持部材３２がアースソケット本体３０の奥側に変位し、これによって、アース側保持部材３２及び電源側保持部材４２間の空間が拡がり、照明モジュール６を容易に取り外すことができる。
【００３９】
アース側嵌合凹部３３の形状及び電源側嵌合凹部４３の形状は、図３及び図４に示すように互いに異なっているから、視覚的に両者の区別を認識することができる。しかも、それぞれがアース側接続端子部７０及び電源側接続端子部８０を整合状態で嵌受し得る形状とされているから、上述のように、照明モジュール６をソケット対５に装着保持させる際に、両者を逆に装着させることが不可であり、装着間違いを生じる懸念がない。また、アースソケット３及び電源ソケット４の構造上の相違（両保持部材３２、４２の変位可能範囲の相違）により、アース側エンドキャップ７側から装着がなされ、装着保持の際に不意に照明モジュール６に電気が導通するような懸念も生じることがない。
【００４０】
なお、アース側嵌合凹部３３及び電源側嵌合凹部４３の形状は、上述したように図例のものに限定されず、両者の形状が互いに異なっており、それぞれが、アース側接続端子部７０及び電源側接続端子部８０の形状に整合するものであれば、他の形状も採用可能である。また、照明モジュール６は、製品仕様によってその長さの異なるものが各種準備されるが、これに応じてソケット対５の間隔が適宜設定されることはいうまでもない。更に、意匠性の観点から、各ソケット３，４にラウンドカバーを装着し得るように構成してもよい。また、アース側のばね部材３４は、便宜上１個のものとして説明し、図３ではその図示を省略しているが、電源側のばね部材４４，４５のように一対で構成されるものとしてもよい。その方が、製造上は両者を共通部品として準備することができるので効率的である。
【符号の説明】
【００４１】
１                      ライン型照明器具
２                      取付基台
３                      アースソケット
４                      電源ソケット
５                      ソケット対
６                      照明モジュール
７                      アース側エンドキャップ
８                      電源側エンドキャップ
９ａ                      ＬＥＤ
３０                    アースソケット本体
３０ａ                  開口部
３０ｂ                  取付基部（案内面）
３０ｃ                  面取部
３１                    アース側作用面
３１ａ                  凸曲面（案内面）
３１ｂ                  傾斜面（案内面）
３２                    アース側保持部材
３３                    アース側嵌合凹部
３３ａ                  底部
３４                    ばね部材（付勢手段）
３４ｃ，３４ｄ          アース用接点
４０                    電源ソケット本体
４０ａ                  開口部
４０ｂ                  取付基部（案内面）
４０ｃ                  面取部
４１                    電源側作用面
４１ａ                  凸曲面（案内面）
４１ｂ                  傾斜面（案内面）
４２                    電源側保持部材
４３                    電源側嵌合凹部
４３ａ                  底部
４４，４５              ばね部材（付勢手段）
４４ｃ，４５ｃ          電源用接点
４７                    規制部
７０                    アース側接続端子部
８０                    電源側接続端子部
９ａ                    発光ダイオード（ＬＥＤ）
【図１】
2012230864.tif 000003
【図２】
2012230864.tif 000004
【図３】
2012230864.tif 000005
【図４】
2012230864.tif 000006
【図５】
2012230864.tif 000007
【図６】
2012230864.tif 000008
【図７】
2012230864.tif 000009
【図８】
2012230864.tif 000010